(57)【要約】本発明は、光学ピックアップユニット、リニアドライブモータ、及び、前記光学ピックアップユニットに対して結合され、前記モータと協働的に係合されるフォロワー（１２）を有する光学ドライブに係る。前出のモータの動作は、通常動作中に、フォロワー（１２）及び光学ピックアップユニットの直線的な運動をもたらす。前出の光学ドライブは更に、停止部材（２６）を有する。該停止部材（２６）は、光学ドライブの通常動作中に、フォロワー（１２）の運動が停止部材（２６）及びロッキング手段（１８，２８ａ−２８ｂ）によって可能となるよう配置及び構成され、所定のドライブ位置における停止部材（２６）に対するフォロワー（１２）の固定位置までの運動をもたらすようにし、その運動は、停止部材（２６）によって制限又は阻止される。
2007529840.tif 000002
【特許請求の範囲】
【請求項１】
所定のドライブ位置において光学ドライブの光学ピックアップユニット（１０）を位置決めする装置であって、
・  リニアドライブモータ（１６）と、
・  フォロワー（１２）と、
・  停止部材（２６）と、
・  ロッキング手段（１６，１８，２８ａ−２８ｂ）と
を有し、
前記フォロワーは、前記光学ピックアップユニット（１０）に対して結合され、前記モータ（１６）と協働的に係合されるため、前記モータ（１６）の動作は、通常動作中に前記フォロワー（１２）と光学ピックアップユニット（１０）の直線的な運動をもたらし、
前記停止部材は、前記光学ドライブの通常動作中、前記フォロワー（１２）の運動が前記停止部材（２６）によって可能にされるよう、配置及び構成され、
前記ロッキング手段は、前記所定のドライブ位置における前記停止部材（２６）に対する前記フォロワー（１２）の固定位置までの運動をもたらし、その運動が前記停止部材によって制限又は阻止される、
装置。
【請求項２】
前記モータ（１６）は、細長い親ネジ（１４）を有し、前記親ネジは、その長さの少なくとも一部分に沿ってネジ山を定義付ける螺旋状の溝（２９）を有し、
前記フォロワー（１２）は、前記溝（２０）と係合する少なくとも１つの突出部（１８）を有し、したがって前記モータ（１６）の動作は、前記親ネジ（１４）の回転及び前記フォロワー（１２）の対応する直線的な運動をもたらす、
請求項１記載の装置。
【請求項３】
前記親ネジ（１４）は、少なくとも１つの中間溝（２８ａ，２８ｂ）を、前記螺旋状の溝（２０）の２つの隣接する長手方向に間隔をあけられた部分の間で、前記親ネジ（１４）の本体部分において供えられる、
請求項２記載の装置。
【請求項４】
前記モータ（１６）は、ベースプレート（２３）を有するブラケット（２２）上に取り付けられ、前記停止部材（２６）は、前記ベースプレート（２３）の平面から上方へ突出する、
請求項１記載の装置。
【請求項５】
前記停止部材は、前記ベースプレート（２３）と一体的に形成される、
請求項４記載の装置。
【請求項６】
前記ブラケット（２２）は、前記停止部材から間隔をあけられた端部壁（２４）を有し、前記固定位置において、前記フォロワー（１２）が前記端部壁（２４）と前記停止部材（２６）との間にトラップされる、
請求項４記載の装置。
【請求項７】
前記ロッキング手段は、前記固定位置をもたらすよう、前記停止部材（２６）に対する前記フォロワー（１２）の運動が通常動作中に前記フォロワー（１２）の直線運動の方向（Ａ）に対して略垂直である方向にあるよう、配置及び構成される、
請求項１記載の装置。
【請求項８】
前記固定位置までの前記フォロワーの運動は、第１の位置から第２の固定位置までの前記フォロワー（１２）の直線的な運動によってもたらされる、
請求項１記載の装置。
【請求項９】
前記フォロワー（１２）の前記固定位置への及び前記固定位置からの運動は、前記モータ（１６）の電気的制御によってもたらされる、
請求項１記載の装置。
【請求項１０】
光学ドライブであって、
・  光学ピックアップユニット（１０）と、
・  リニアドライブモータ（１６）と、
・  フォロワー（１２）と、
・  停止部材（２６）と、
・  ロッキング手段（１６，１８，２８ａ−２８ｂ）と
を有し、
前記フォロワーは、前記光学ピックアップユニット（１０）に対して結合され、前記モータ（１６）と協働的に係合されるため、前記モータ（１６）の動作は、通常動作中に前記フォロワー（１２）と光学ピックアップユニット（１０）の直線的な運動をもたらし、
前記停止部材は、前記光学ドライブの通常動作中、前記フォロワー（１２）の運動が前記停止部材（２６）によって可能にされるよう、配置及び構成され、
前記ロッキング手段は、前記所定のドライブ位置における前記停止部材（２６）に対する前記フォロワー（１２）の固定位置までの運動をもたらし、その運動が前記停止部材によって制限又は阻止される、
光学ドライブ。
【発明の詳細な説明】
【技術分野】
【０００１】
本発明は全般的に、情報を光学記憶媒体へと書き込む光学ドライブ、及び／又は光学記憶媒体からデータを読み込む光学ドライブに係る。またより特には、本発明は、情報を光学記憶媒体へと書き込む光学ドライブ、及び／又は光学記憶媒体からデータを読み込む光学ドライブの光学ピックアップユニットを位置決めする装置に係る。かかる記憶媒体の例は、例えば、ＣＤ−ＲＯＭ、ＣＤ−Ｒ、ＣＤ−ＲＷ、ＤＶＤ、ブルーレイである。これらの例において、光学記憶媒体はディスクの形状を有する。
【背景技術】
【０００２】
先行技術において周知である通り、光ディスクは、書き込まれたデータを有することができる少なくとも１つのトラックを有する。ディスクは、読込み専用であるよう実現され得る。該ディスクは、トラックにおいて記録されたデータを有して製造され、このデータは、ディスクから読み込まれ得るのみである。しかしながら、ユーザがディスク上にデータを記録できる書込み可能な光ディスクもまた、既知である。この場合、ディスクは、空のディスク、即ちトラック構造を有するが該トラック内にデータが記録されていないディスクとして通常は製造される。
【０００３】
同様に、光ディスクドライブは、読込み専用装置、即ち記録済みのディスクから情報を読み込むことのみができる装置として設計され得る。しかしながら、光ディスクドライブはまた、情報を記録可能なディスクのトラックへと書き込まれるよう設計され得る。しかしながら、全ての場合において、光ディスクドライブは、光ディスクを受け、所定の回転速度で光ディスクを回転させる手段を有する。光ディスクドライブは、光ビームジェネレータを有する光ヘッド又は光学ピックアップユニット（ＯＰＵ）を更に有する。該光ビームジェネレータは、典型的にはレーザであり、回転するディスクの表面に向かって光ビームを方向付け、ディスクによって反射された反射ビームを受け、受けられた反射ビームを電気信号へと変換するものである。
【０００４】
故に、光学ピックアップユニットは、光ビームジェネレータ、光ディスクに向かって光ビームを方向付ける光学系、光を電気信号へと変換する光検出器、及び、反射光を受け、当該反射光を光検出器に向かって方向付ける光学系を有する。光学系は、光ディスクのトラック上で光ビームを集束することができ、また更には、反射光ビームを光検出器上で集束することができる。光学系は、光学経路の長さにおける変化を補うことができるよう、光軸（ｚ方向）に沿って移動可能である。この光学レンズ系に関連付けられたサーボ系は、所望の集束を保持するよう適合される。
【０００５】
光学ピックアップが有する問題は、光検出器が光ビームに対して非常に正確に位置決めされなければならない、という点である。ｚ方向における光検出器の位置に対する許容差は、約１００μｍのオーダである。ｚ方向（ｘ方向は放射方向、ｙ方向はトラック方向）に対して垂直である方向における許容差は、１０μｍのオーダである。しかしながら、光学ピックアップが、非作動の機械的衝突又は衝撃を受け得ることを考えると、この位置決め精度を光学ピックアップの寿命の間保持することを保証するのは、非常に困難である。該衝突又は衝撃は、例えば光学ドライブの運搬又は輸送によってもたらされ、その結果、ＯＰＵが光学ドライブ機構に対して激突され損傷を受け得る。
【０００６】
近年、ボール紙又は同様のものの断片は、運搬に対する梱包中に光学ドライブ機構に対して加えられ、運搬中のＯＰＵの動きを制限する助けとなるようにされる。しかしながら、このボール紙は、コンソールにおいてインストールされ次第、該機構から恒久的に取り除かれ、ＯＰＵの運動は既に制限されなくなり、コンソールレベルでの強い衝撃はまた、ＯＰＵを損傷し得る。
【０００７】
上述された通り、ＯＰＵは、光学経路の長さにおける変化を補うことができるよう光軸に沿って（ｚ方向）移動可能である。当該光学レンズ系に関連付けられたサーボ系は、所望の集束を保持するよう適合される。かかるサーボ系は、ＯＰＵフォロワーに対して伝達可能に結合された親ネジを有するステッピングモータを一般的には有する。ＯＰＵは、フォロワーに対して取り付けられ、ステッピングモータの稼働によるＯＰＵフォロワーの移動が、所望の通りＯＰＵの対応する移動をもたらすようにする。しかしながら、光学ドライブに対して加えられた機械的衝突又は衝撃は、また、結果として起こるＯＰＵ加速によって作られた過剰な力によりステッピングモータに対して損傷をもたらし得る。故に、コンソールレベルでのいかなる強い衝撃も、ＯＰＵ及びスレッジモータ（ｓｌｅｄｇｅ  ｍｏｔｏｒ）を損傷し得る。
【発明の開示】
【発明が解決しようとする課題】
【０００８】
出願人は、改良された装置を発明した。本発明は、夫々の光学ドライブ機構に対する衝突を防ぐよう、また、例えば夫々の装置の運搬又は輸送中に与えられる衝撃又は衝突からステッピングモータを保護するよう、特定のドライブ位置において光学ドライブの光学ピックアップユニットを位置決めする装置を与える、ことを目的とする。
【課題を解決するための手段】
【０００９】
本発明によれば、所定のドライブ位置において光学ドライブの光学ピックアップユニットを位置決めする装置が与えられる。該装置は、リニアドライブモータ、及び、前出の光学ピックアップユニットに対して結合され且つ前出のモータと協働的に係合されたフォロワーを有し、該モータの動作は、通常動作中のフォロワー及び光学ピックアップユニットの直線的な運動をもたらす。前出の装置は、光学ドライブの通常動作中に前出のフォロワーの運動を制限するよう配置及び構成された停止部材を有する。該装置は更に、前出の所定のドライブ位置において前出の停止部材に対するフォロワーの固定位置までの運動をもたらすロッキング手段を有し、その運動は、停止部材によって制限又は阻止される。
【００１０】
本発明の一実施例では、モータは、全長の少なくとも一部分に沿ってネジ山を定義付ける螺旋状の溝を有する細長い親ネジを有し、フォロワーは、溝に係合する少なくとも１つの突出部を有するため、モータの動作は、親ネジの回転及びフォロワーの対応する直線的な運動をもたらす。本発明の一実施例では、フォロワーは、前出の螺旋状の溝の２つの夫々の長手方向に間隔をあけられた部分と係合する少なくとも１つの突出部を有する。
【００１１】
有益には、フォロワーの前出の固定位置への運動は、第１の固定位置から第２の固定位置へのフォロワーの直線的な運動によって達成される。かかる直線的な運動は、親ネジの対応する回転をもたらすよう手動で又はモータの動作によって達成される。本発明の一実施例では、親ネジは、前出の親ネジのネジ山を定義付ける螺旋状の溝の２つの隣接する長手方向に間隔をあけられた部分の間で親ネジの本体部分において少なくとも１つの中間溝（ｉｎｔｅｒｍｅｄｉａｔｅ  ｇｒｏｏｖｅ）を備えられる。少なくとも１つの突出部は、固定位置をもたらすよう中間溝と係合するようにされる。フォロワーが２つの突出部を有する場合、親ネジは、２つの夫々の中間溝を有し、それらを有して夫々の２つの突起部が固定位置をもたらすよう係合される。
【００１２】
故に、固定位置においてＯＰＵを固定することによって、機構に対する衝突が阻止され、加えて、例えばステッピングモータであるリニアドライブモータは保護される。
【００１３】
本発明の一実施例では、モータは、ベースプレートを有するブラケット上に取り付けられ、停止部材がベースプレートの平面から上方向に突出する。停止部材は、ベースプレートと一体的に形成され得る。ブラケットは、停止部材から間隔をあけられた端部壁を有し得、固定位置においてフォロワーが端部壁と停止部材との間にトラップされるようにする。
【００１４】
本発明の一実施例では、ロッキング手段は、前出の固定位置をもたらすよう停止部材に対するフォロワーの動作が通常動作中のフォロワーの直線的な運動の方向に対して略垂直である方向にあるよう、配置される。
【００１５】
本発明はまた、位置決め装置を有する光学ドライブにまで延在する。
【発明を実施するための最良の形態】
【００１６】
本発明のこれらの及び他の態様は、以下に説明される実施例を参照して明らかに且つ説明される。
【００１７】
本発明の一実施例は、これより単なる例として添付の図面を参照して説明される。
【００１８】
本発明の目的は、光学ドライブの光学ピックアップユニットが所望される特定のドライブ位置において手動で又は電気的に固定され得る改善された配置を与えること、である。
【００１９】
第１の例において１ａ及び図１ｂを参照すると、本発明に従った一実施例に従った位置決め装置は、フォロワーの歯１８を用いてステッピングモータ１６の親ネジ１４に対して伝達可能に結合されるフォロワー機構１２上に取り付けられた光学ピックアップユニットＯＰＵ１０を有する。歯１８は、親ネジ１４のネジ山を定義付ける溝２０内に係合する。当業者には明らかである通り、親ネジ１４はモータ１６のロータ（図示せず）に対して結合されるため、モータ１６の動作は親ネジ１４を回転させる。該動作は親ネジ１４の長さに沿ったフォロワー１２及びＯＰＵ１０の直線的な運動へと変えられる。故に、図示される例においては、反時計回り方向（矢印Ｂ）におけるステッピングモータの回転は、矢印Ａによって示される方向におけるフォロワー及びＯＰＵの直線的な運動へと変えられる。矢印Ａの方向は、以下では「回帰（ホーミング）方向」と称される。
【００２０】
図２を参照すると、モータ１６は、ベースプレート２３及びそれに垂直である端部壁２４を有する細長いブラケット２２上に取り付けられ、図示される通り、親ネジ１４はモータ１６から端部壁２４までブラケット２２の長さに沿って延在する。ブラケット２２は、端部壁２４の近くに停止部材２６を備えられる。停止部材２６は、ベースプレート２３の平面からそれに対して略直角に上方向へ突出する。この一実施例では、停止部材２６は、ベースプレート２３と一体的に形成され、略Ｌ字型の構造を定義付けられるようにされるが、これは必須ではない。親ネジ１４は更に、図示される通り、２つの中間溝２８ａ，２８ｂを親ネジ１４のネジ山によって定義付けられた２つの夫々の隣接する本体部分において備えられる。
【００２１】
これより図３ａ及び図３ｂを参照すると、ＯＰＵ１０がその一部分である光学ドライブ機構の運搬又は輸送に対して、ＯＰＵ１０を固定するよう、ＯＰＵ１０は、所謂「ホーム位置」に戻らなければならない。これを達成するよう、モータは、電気パルスの適用によって反時計回り方向（矢印Ｂ）において動作され、フォロワーの歯１８が親ネジ１４のネジ山によって定義付けられた最後の２つの隣接する溝２０において係合されるまで、回帰方向におけるフォロワー１２及びその上に取り付けられたＯＰＵ１０の運動をもたらすようにされる。フォロワー１２がモータブラケット２２の端部壁２４と接触する際、ＯＰＵ１０は、図３ａ及び図３ｂに図示される通り、「ホーム位置」にあると考えられる。上述された回帰手順は、フォロワーと親ネジのピッチとの間で機械的に滑ることなく終了する。これは、回帰期間中モータに対する電流振幅を下げることによって達成され得る。フォロワーの形状及びモータブラケット２２に対するその位置、及び親ネジ１３のネジ山によって定義付けられた溝２０の深さにより、通常動作中、フォロワー１２は、ブラケット２２のベース板２３から上方向に突出する停止部材２６を自由に通過する（図３ｂ参照）。即ち、フォロワー１２が親ネジ１４に対して通常位置にある際、フォロワー１２は、停止部材２６を通り越し、スレッジシステム（ｓｌｅｄｇｅ  ｓｙｓｔｅｍ）に対して妨害をもたらさない。
【００２２】
図４ａ及び図４ｂを参照すると、フォロワー及びＯＰＵがホーム位置にあり次第、「固定（ロック）」コマンドは、（ユーザからのコマンドに対応して）コンソールから出され得る。かかるコマンドは、モータを更に半旋回分を反時計回り方向において回転させ、フォロワーの歯１８が親ネジ１４における中間溝２８ａ、２８ｂへと入るようにさせる。正確なステップ寸法を適用することによってステッピングモータの角度位置を制御することが比較的容易であることは、当業者によって理解されるであろう。モータに印加される電流は、フォロワーの歯１８を中間溝２８ａ，２８ｂへと押すよう所望されるレベルの力を与えるよう、通常動作をもたらすよう使用される電流より高くなければならない。中間溝２８ａ，２８ｂの深さが親ネジ１４のネジ山によって定義付けられた溝２０の深さより小さいという事実を考慮して、図４ｂ中に示される通り、フォロワー１２は、ＯＰＵ１０の方向において押され、その新しい位置において停止部材２６によって固定される。したがって、要約すると、ＯＰＵをホーム位置に固定するよう、ＯＰＵフォロワーはモータの親ネジにおける中間溝によってＯＰＵに向かって押され、新しいフォロワーの位置は、モータブラケットから上方向に突出する停止部材によって固定される。
【００２３】
ＯＰＵ１０を介助するよう、モータは、更に半回転分反時計回りの方向において回転され続け得、フォロワーの歯１８は、親ネジ１４のネジ山によって定義付けられる溝２０内の通常位置に戻るようにされる。それによってフォロワー１２は、モータブラケット２２に対する通常位置に戻り、その運動が停止部材２６によって制限されないようにされる。
【００２４】
故に、本発明は、ＯＰＵが非動作状態において固定され得る機構を与え、それによって衝撃又は衝突による不具合発生のリスクを低減する。梱包工程中のボール紙の含有は排除される。上述された本発明の実施例の主な利点の１つは、ＯＰＵがステッピングモータを電気的に制御することによって、即ち適切な電流パルスをモータに印加することによって固定又は解除され得る、ことであるが、他の実施例においてＯＰＵ固定手順は手によって手動で実行され得る、ことは理解される。
【００２５】
最も単純な構造において、本発明の一実施例は、既知の配置のステッピングモータに２つの新しい特徴を加えることによって達成され得る。即ち、モータの親ネジにおける中間溝、及び、モータブラケットにおける又はモータブラケット上の停止部材である。場合によっては、フォロワーが通常動作中に停止部材を通過することができるよう、フォロワーに対して新しい寸法を考慮するよう求められ得る。また、追加的なアルゴリズムは、固定／解除手順を実行するよう、これがステッピングモータの角度位置の電気的な制御によって実行され得るよう所望される場合、制御システム内に求められ得る。
【００２６】
本発明の一実施例は、例としてのみ上述されており、添付の請求項によって定義付けられる本発明の範囲から逸脱することなく上述された実施例に対して修正及び変化がなされ得る、ことは当業者にとって明らかである。更に、請求項中、括弧内にある全ての参照符号は、請求項を制限するものとして解釈されるべきではない。「有する」という語は、請求項中に挙げられた要素又は段階以外の要素又は段階の存在を除外するものではない。単数形の記載は複数を除外するものではない。本発明は、複数の異なる要素を有するハードウェアを用いて、及び適切にプログラムされたコンピュータを用いて実行され得る。複数の手段を列挙する装置請求項においては、これらの手段のうちいくつかは、ハードウェアの１つ及び同一のアイテムによって実行され得る。相互に異なる独立請求項において措置が挙げられているという事実は、これらの措置の組合せが有利に使用され得ないということを示すものではない。
【図面の簡単な説明】
【００２７】
【図１ａ】本発明の一実施例に従った位置決め装置を有する光学ドライブ機構の概略的平面図である。
【図１ｂ】図１ａ中の機構の概略的斜視図である。
【図２】図１ａ中の機構における使用に対するモータユニットの斜視側面図である。
【図３ａ】フォロワー及びＯＰＵが「ホーム」位置まで動いている際の図１ａ中の機構の概略的平面図である。
【図３ｂ】図２ａ中の機構の概略的斜視図である。
【図４ａ】フォロワーが「ホーム」位置において固定される際の図１ａ中の機構の概略的平面図である。
【図４ｂ】図４ａ中の機構の概略的斜視図である。
【図１ａ】
2007529840.tif 000003
【図１ｂ】
2007529840.tif 000004
【図２】
2007529840.tif 000005
【図３ａ】
2007529840.tif 000006
【図３ｂ】
2007529840.tif 000007
【図４ａ】
2007529840.tif 000008
【図４ｂ】
2007529840.tif 000009
【手続補正書】
【提出日】平成18年9月20日(2006.9.20)
【手続補正１】
【補正対象書類名】明細書
【補正対象項目名】０００７
【補正方法】変更
【補正の内容】
【０００７】
上述された通り、ＯＰＵは、ディスク全体を読み出すことができるようディスクに沿って（ｘ方向）移動可能である。サーボ系は、この移動を制御するよう使用される。かかるサーボ系は、ＯＰＵフォロワーに対して伝達可能に結合された親ネジを有するステッピングモータを一般的には有する。ＯＰＵは、フォロワーに対して取り付けられ、ステッピングモータの稼働によるＯＰＵフォロワーの移動が、所望の通りＯＰＵの対応する移動をもたらすようにする。しかしながら、光学ドライブに対して加えられた機械的衝突又は衝撃は、また、結果として起こるＯＰＵ加速によって作られた過剰な力によりステッピングモータに対して損傷をもたらし得る。故に、コンソールレベルでのいかなる強い衝撃も、ＯＰＵ及びスレッジモータ（ｓｌｅｄｇｅ  ｍｏｔｏｒ）を損傷し得る。
【手続補正２】
【補正対象書類名】明細書
【補正対象項目名】図面の簡単な説明
【補正方法】変更
【補正の内容】
【図面の簡単な説明】
【図１ａ】  本発明の一実施例に従った位置決め装置を有する光学ドライブ機構の概略的平面図である。
【図１ｂ】  図１ａ中の機構の概略的斜視図である。
【図２】  図１ａ中の機構における使用に対するモータユニットの斜視側面図である。
【図３ａ】  フォロワー及びＯＰＵが「ホーム」位置まで動いている際の図１ａ中の機構の概略的平面図である。
【図３ｂ】  図３ａ中の機構の概略的斜視図である。
【図４ａ】  フォロワーが「ホーム」位置において固定される際の図１ａ中の機構の概略的平面図である。
【図４ｂ】  図４ａ中の機構の概略的斜視図である。
【国際調査報告】
2007529840.tif 000010
2007529840.tif 000011
2007529840.tif 000012